(57)【特許請求の範囲】
【請求項１】
それぞれシールを有する互いに向き合ったネック状部分をそなえるガラスの放電容器であって、当該放電容器中にはイオン化封入物と電極とが設けられている放電容器と、
前記放電容器の夫々のネック状部分と結合される場所に第１のくびれ及び第２のくびれを有する、前記放電容器のまわりのガラスの管状外管と、
前記管状外管の一部と固定結合されたクランプ部材と、
夫々の電極に電気的に接続された接点を有する絶縁材料のランプキャップと、
このランプキャップに固定連結され且つ前記クランプ部材に固着された金属の固定部材と
を有するキャップ付き高圧放電ランプにおいて、
前記管状外管は、前記第２のくびれと反対の側において、前記第１のくびれに隣接した、ピンチを有する端部分を有し、前記クランプ部材は、前記ピンチを保持する互いに向き合ったタグが側辺に設けられた開口を有する底部をそなえたブッシュであることを特徴とするキャップ付き高圧放電ランプ。
【請求項２】
前記ピンチは、前記クランプ部材のタグと共働する外形を有する請求の範囲１記載のキャップ付き高圧放電ランプ。
【発明の詳細な説明】
本発明は、それぞれシールを有する互いに向き合ったネック状部分をそなえるガラスの放電容器であって、当該放電容器中にはイオン化封入物と電極とが設けられているガラスの放電容器と、
前記放電容器の夫々のネック状部分と結合される場所に第１のくびれ及び第２のくびれを有する、前記放電容器のまわりのガラスの管状外管と、
前記管状外管の一部と固定結合されたクランプ部材と、
夫々の電極に電気的に接続された接点を有する絶縁材料のランプキャップと、
このランプキャップに固定連結され且つ前記のクランプ部材に固着された金属の固定部材と
を有するキャップ付き高圧放電ランプに関するものである。
このようなキャップ付き高圧放電ランプはＥＰ ０５７００６８-Ａより既知である。このランプは、車のヘッドライトランプとして用いられることができる。この既知のランプでは、第１のくびれの近くに位置するネック状部分は外管を超えて突出している。クランプ部材は、前記のネック状部分のまわりを把持する金属スリーブであって、溶接で閉じられる。
外管は、動作中に放電容器の温度差を減らすのに役立つ。ランプの光束は、消費電力を同じに保ちながら、小さな温度差によって増やされることができる。光束の増加は、外管のない場合の最大温度に相当する最大放電容器温度においてさえでも実現することができる。更にまた、外管のないランプで与えられるのと同じ光束を得ながら最大温度の低下を実現することも可能である。光束と最大温度とは、外管と放電容器間のすき間の値に依存する。外管は、放電容器のまわりにフィルタ例えばＵＶフィルタを与えるのに利用することも可能である。
ランプキャップと組合わされる外管は質量の増加をきたす。それでも、放電容器とランプキャップの結合はランプの点灯用途に対しては十分に強い。けれども、ランプは、輸送時に、ネック状部分がくびれの近くで破損してその結果電極がランプキャップに対して正確に調整された位置を失うような強いショックを受けることがある。
本発明の目的は、構造が簡単で、改良された機械的強度を有する、冒頭記載の種類のキャップ付き高圧放電ランプを得ることにある。
本発明はこの目的を次のようにすることにより達成したものである。すなわち、
前記管状外管は、第２のくびれと反対の側において、第１のくびれに隣接した、ピンチを有する端部分を有し、前記クランプ部材は、前記ピンチを保持する互いに向き合ったタグが側辺に設けられた開口を有する底部をそなえたブッシュであるようにしたものである。
ピンチは、放電容器を取囲むために外管が有せねばならない大きな直径のために、比較的大きな寸法と強さを有する。その結果、ピンチは、クランプ部材すなわちブッシュに対して丈夫な、比較的広い接触面積を与える。クランプ部材は外管を把持するので、外管には、互いに離れた２つの位置でそのくびれによって支持する、放電容器に対する支持機能が与えられる。
クランプブッシュの使用は、このブッシュと包囲された放電容器との連結がこれ等２つの確実な連結を達成するのに十分であるという利点を有する。したがって、金属スリーブをネック状部分のまわりに固定するために必要な溶接操作は省くことができる。
一般に石英ガラスまたは少なくとも、重量で少なくとも９６％のＳｉＯ2成分を有するガラスが放電容器及び外管に使用されるということに留意すべきである。例えばモリブデンでつくられた導体は放電容器の夫々のシールを通ってランプキャップに延在することができる。この場合これ等の導体の一方はピンチ内にある。一般に、導体が線の形をとる場合には、ガラスと導体の熱膨張係数の差のためにピンチは導体を真空気密状に含まない。けれども、ピンチは、関係の導体をその縦方向にわたって例えばランプキャップ内迄包み、かくして、２つの導体間にフラッシュオーバが起きることがないように該導体を他方の導体からしゃ蔽するのに非常に適している。
ピンチがクランプ部材のタグと共働する外形例えば突起を有すると、クランプ部材のピンチへの特に確実な把持を達成する上で有利である。
本発明のキャップ付き高圧放電ランプは、簡単で製造容易な構造を有するにも拘らず、ショックや衝撃に対する高度の耐性を有することが見出された。
本発明のキャップ付き高圧放電ランプの実施例を図面を参照して説明する。
第１図において、キャップ付き高圧放電ランプは、互いに向き合ったネック状部分２，３を有する図では石英ガラスの放電容器１を有し、前記のそれぞれのネック状部分にはシール４が存する。この放電容器は、電極５のほかにイオン化封入物例えば水銀、稀ガズ及び金属ハライドを有する。図では石英ガラスでつくられたガラスの円筒状外管１０が前記の放電容器を取囲む。この外管は第１のくびれ１１と第２のくびれ１２を有し、これ等のくびれの位置において該外管が例えば溶融によって各ネック状部分２，３と結合される。金属のクランプ部材２０が放電容器１に固定連結される。例えは合成樹脂、例えば場合によってはガラス粉末またはガラスファイバが入れられたポリエステルイミドの絶縁材料のランプキャップ３０が、各電極５と電気的に接続された接点３１，３２を有する。金属の固定部材４０が前記のランプキャップ３０に固定連結され且つクランプ部材２０に固着されているため、放電容器はランプキャップにしっかりと連結される。外管１０は、第２のくびれ１２と反対の側の第１のくびれ１１に隣接した端部分１３を有し、この端部分にはピンチ１４が存する。クランプ部材２０は開口２２を有する底部２１をそなえ、この開口の側辺には、ピンチ１４を保持する互いに向き合ったタグ２３が設けられる。
図の固定部材４０は、電極５がランプキャップ３０に対して位置合わせされた後クランプ部材２０との溶接接合がなされる舌片４１を有する。この固定部材は、例えば超音波加熱によってランプキャップに固定されることができる。けれども、固定部材は、クランプによってランプキャップ内に把持されるのが好ましい。この目的で固定部材は例えばスクレーピングタグを有することができる。
ランプキャップ３０は第１図では破断して示してある。電極の一方に接続された導体６は接点３１に固着される。接点３２から他方の電極に延在する導体７は、コネクタがランプキャップに付けられる時に電圧のかかっている部分に触れることができないように、セラミックパイプ１６とセラミックキャップ１７で取囲まれている。
第２図と第３図は、ピンチが外管の端部分１３につくられた後のランプのガラス部分を示す。ピンチ内のモリブデン線６は、ピンチが形成された後にピンチのガラスよりも強く緊縮されるので、この線はピンチ内に自由に置かれ、ピンチは真空気密ではない。これは、真空気密にするために中に箔が埋込まれた放電容器１のシール４と対照的である。
図では、ピンチ１４はくびれ１１に隣接している。このピンチは、その２つの幅広い面に、後方をクランプ部材２０のタグ２３が把持する外形１５を有する。クランプ部材２０はまたピンチ１４の狭い面と共働する小さなタグ２３′も有する。
【図面の簡単な説明】
第１図はキャップ付き高圧放電ランプの側面図である。
第２図は第１図の外管を有する放電容器の側面図である。
第３図は第２図のIIIより見た側面図である。
第４図はクランプ部材が取付けられた第２図の構成要素の側面図である。
第５図は第４図のＶから見たクランプ部材を示す線図である。
【図１】
0003836131.tif 000002
【図２】
0003836131.tif 000003
【図３】
0003836131.tif 000004
【図４】
0003836131.tif 000005
【図５】
0003836131.tif 000006